(57)【要約】【課題】「ＣＡ」が適用されている場合であっても、再接続処理において、無線基地局の処理負荷とバックホールのシグナリング量を抑えつつ、中間鍵「ＫｅＮＢ＊」を生成する。【解決手段】本発明に係る移動通信システムは、移動局ＵＥと無線基地局ｅＮＢ＃１配下のセル＃１との間で確立されている第１無線リンクにおける障害（ＲＬＦ）が検出された場合に、再接続処理によって、移動局ＵＥとセル＃１との間で第２無線リンクを確立する移動通信方法であって、再接続処理において、無線基地局ｅＮＢ＃１が、生成した乱数「Ｒａｎｄ」と、第１無線リンクで用いられていた第１鍵「ＫｅＮＢ」とに基づいて、第２無線リンクで用いられる第２鍵「ＫｅＮＢ」を生成するための中間鍵「ＫｅＮＢ＊」を生成する工程を有することを要旨とする。【選択図】図５
2011041162.tif 000002
【特許請求の範囲】
【請求項１】
移動局と無線基地局配下のセルとの間で確立されている第１無線リンクにおける障害が検出された場合に、再接続処理によって、該移動局と該セルとの間で第２無線リンクを確立する移動通信方法であって、
前記再接続処理において、前記無線基地局が、生成した乱数と、前記第１無線リンクで用いられていた第１鍵とに基づいて、前記第２無線リンクで用いられる第２鍵を生成するための中間鍵を生成する工程を有することを特徴とする移動通信方法。
【請求項２】
前記再接続処理において、前記無線基地局が、前記移動局に対して、前記乱数を送信する工程と、
前記再接続処理において、前記移動局が、受信した前記乱数と、前記第１無線リンクで用いられていた第１鍵とに基づいて、前記第２無線リンクで用いられる第２鍵を生成するための中間鍵を生成する工程を有することを特徴とする請求項１に記載の移動通信方法。
【請求項３】
移動局と無線基地局配下のセルとの間で確立されている第１無線リンクにおける障害が検出された場合に、再接続処理によって、該移動局と該セルとの間で第２無線リンクを確立する移動通信方法であって、
前記再接続処理において、前記無線基地局が、生成した乱数と、交換局から通知された所定情報とに基づいて、前記第２無線リンクで用いられる第２鍵を生成するための中間鍵を生成する工程を有することを特徴とする移動通信方法。
【請求項４】
前記再接続処理において、前記無線基地局が、前記移動局に対して、前記乱数及び前記所定情報に対応する所定カウンタを送信する工程と、
前記再接続処理において、前記移動局が、受信した前記所定カウンタに対応する所定情報を算出し、受信した前記乱数及び算出された該所定情報に基づいて、前記第２無線リンクで用いられる第２鍵を生成するための中間鍵を生成する工程を有することを特徴とする請求項３に記載の移動通信方法。
【請求項５】
第１無線基地局配下の第１セルから第２無線基地局配下の第２セルへの移動局のハンドオーバ処理中に、該移動局と該第１セルとの間で確立されていた第１無線リンクにおける障害が検出された場合に、再接続処理によって、該移動局と該第２セルとの間で第２無線リンクを確立する移動通信方法であって、
前記ハンドオーバ処理において、前記第１無線基地局が、生成した乱数と、前記第１無線リンクで用いられていた第１鍵とに基づいて、前記第２無線リンクで用いられる第２鍵を生成するための中間鍵を生成する工程を有することを特徴とする移動通信方法。
【請求項６】
前記ハンドオーバ処理において、前記第１無線基地局が、前記第２無線基地局に対して、前記乱数を送信する工程と、
前記再接続処理において、前記第２無線基地局が、前記移動局に対して、前記乱数を送信する工程と、
前記再接続処理において、前記移動局が、受信した前記乱数と、前記第１無線リンクで用いられていた第１鍵とに基づいて、前記第２無線リンクで用いられる第２鍵を生成するための中間鍵を生成する工程を有することを特徴とする請求項５に記載の移動通信方法。
【請求項７】
第１無線基地局配下の第１セルから第２無線基地局配下の第２セルへの移動局のハンドオーバ処理中に、該移動局と該第１セルとの間で確立されていた第１無線リンクにおける障害が検出された場合に、再接続処理によって、該移動局と該第２セルとの間で第２無線リンクを確立する移動通信方法であって、
前記ハンドオーバ処理において、前記第１無線基地局が、生成した乱数と、交換局から通知された所定情報とに基づいて、前記第２無線リンクで用いられる第２鍵を生成するための中間鍵を生成する工程を有することを特徴とする移動通信方法。
【請求項８】
前記ハンドオーバ処理において、前記第１無線基地局が、前記第２無線基地局に対して、前記乱数を送信する工程と、
前記再接続処理において、前記第２無線基地局が、前記移動局に対して、前記乱数及び前記所定情報に対応する所定カウンタを送信する工程と、
前記再接続処理において、前記移動局が、受信した前記所定カウンタに対応する所定情報を算出し、受信した前記乱数及び算出された該所定情報に基づいて、前記第２無線リンクで用いられる第２鍵を生成するための中間鍵を生成する工程を有することを特徴とする請求項７に記載の移動通信方法。
【請求項９】
第１無線基地局配下の第１セルから第２無線基地局配下の第２セルへの移動局のハンドオーバ処理中に、該移動局と該第１セルとの間で確立されていた第１無線リンクにおける障害が検出された場合に、再接続処理によって、該移動局と該第１セルとの間で第２無線リンクを確立する移動通信方法であって、
前記再接続処理において、前記第１無線基地局が、生成した乱数と、前記第１無線リンクで用いられていた第１鍵とに基づいて、前記第２無線リンクで用いられる第２鍵を生成するための中間鍵を生成する工程を有することを特徴とする移動通信方法。
【請求項１０】
前記再接続処理において、前記第１無線基地局が、前記移動局に対して、前記乱数を送信する工程と、
前記再接続処理において、前記移動局が、受信した前記乱数と、前記第１無線リンクで用いられていた第１鍵とに基づいて、前記第２無線リンクで用いられる第２鍵を生成するための中間鍵を生成する工程を有することを特徴とする請求項９に記載の移動通信方法。
【請求項１１】
第１無線基地局配下の第１セルから第２無線基地局配下の第２セルへの移動局のハンドオーバ処理中に、該移動局と該第１セルとの間で確立されていた第１無線リンクにおける障害が検出された場合に、再接続処理によって、該移動局と該第１セルとの間で第２無線リンクを確立する移動通信方法であって、
前記再接続処理において、前記第１無線基地局が、生成した乱数と、交換局から通知された所定情報とに基づいて、前記第２無線リンクで用いられる第２鍵を生成するための中間鍵を生成する工程を有することを特徴とする移動通信方法。
【請求項１２】
前記再接続処理において、前記第１無線基地局が、前記移動局に対して、前記乱数及び前記所定情報に対応する所定カウンタを送信する工程と、
前記再接続処理において、前記移動局が、受信した前記所定カウンタに対応する所定情報を算出し、受信した前記乱数及び算出された該所定情報に基づいて、前記第２無線リンクで用いられる第２鍵を生成するための中間鍵を生成する工程を有することを特徴とする請求項１１に記載の移動通信方法。
【請求項１３】
移動局と無線基地局配下のセルとの間で確立されている第１無線リンクにおける障害が検出された場合に、再接続処理によって、該移動局と該セルとの間で第２無線リンクを確立することができる移動通信システムにおける該無線基地局であって、
前記再接続処理において、乱数を生成するように構成されている乱数生成部と、
前記再接続処理において、生成した乱数と、前記第１無線リンクで用いられていた第１鍵とに基づいて、前記第２無線リンクで用いられる第２鍵を生成するための中間鍵を生成するように構成されている鍵生成部とを具備することを特徴とする無線基地局。
【請求項１４】
前記再接続処理において、前記移動局に対して、前記乱数を送信するように構成されている再接続処理部を更に具備することを特徴とする請求項１３に記載の無線基地局。
【請求項１５】
移動局と無線基地局配下のセルとの間で確立されている第１無線リンクにおける障害が検出された場合に、再接続処理によって、該移動局と該セルとの間で第２無線リンクを確立することができる移動通信システムにおける該移動局であって、
前記再接続処理において、前記無線基地局から受信した乱数と、前記第１無線リンクで用いられていた第１鍵とに基づいて、前記第２無線リンクで用いられる第２鍵を生成するための中間鍵を生成するように構成されている鍵生成部を具備することを特徴とする移動局。
【請求項１６】
移動局と無線基地局配下のセルとの間で確立されている第１無線リンクにおける障害が検出された場合に、再接続処理によって、該移動局と該セルとの間で第２無線リンクを確立することができる移動通信システムにおける該無線基地局であって、
前記再接続処理において、乱数を生成するように構成されている乱数生成部と、
前記再接続処理において、生成した乱数と、交換局から通知された所定情報とに基づいて、前記第２無線リンクで用いられる第２鍵を生成するための中間鍵を生成するように構成されている鍵生成部とを具備することを特徴とする無線基地局。
【請求項１７】
前記再接続処理において、前記移動局に対して、前記乱数及び前記所定情報に対応する所定カウンタを送信するように構成されている再接続処理部を更に具備することを特徴とする請求項１６に記載の無線基地局。
【請求項１８】
移動局と無線基地局配下のセルとの間で確立されている第１無線リンクにおける障害が検出された場合に、再接続処理によって、該移動局と該セルとの間で第２無線リンクを確立することができる移動通信システムにおける該移動局であって、
前記再接続処理において、前記無線基地局から受信した所定カウンタに対応する所定情報を算出し、該無線基地局から受信した乱数及び算出された該所定情報に基づいて、前記第２無線リンクで用いられる第２鍵を生成するための中間鍵を生成するように構成されている鍵生成部を具備することを特徴とする移動局。
【請求項１９】
第１無線基地局配下の第１セルから第２無線基地局配下の第２セルへの移動局のハンドオーバ処理中に、該移動局と該第１セルとの間で確立されていた第１無線リンクにおける障害が検出された場合に、再接続処理によって、該移動局と該第２セルとの間で第２無線リンクを確立することができる移動通信システムにおいて、該第１無線基地局として動作可能な無線基地局であって、
前記ハンドオーバ処理において、乱数を生成するように構成されている乱数生成部と、
前記ハンドオーバ処理において、生成した乱数と、前記第１無線リンクで用いられていた第１鍵とに基づいて、前記第２無線リンクで用いられる第２鍵を生成するための中間鍵を生成するように構成されている鍵生成部とを具備することを特徴とする無線基地局。
【請求項２０】
第１無線基地局配下の第１セルから第２無線基地局配下の第２セルへの移動局のハンドオーバ処理中に、該移動局と該第１セルとの間で確立されていた第１無線リンクにおける障害が検出された場合に、再接続処理によって、該移動局と該第２セルとの間で第２無線リンクを確立することができる移動通信システムにおける該移動局であって、
前記再接続処理において、前記第１無線基地局から受信した乱数と、前記第１無線リンクで用いられていた第１鍵とに基づいて、前記第２無線リンクで用いられる第２鍵を生成するための中間鍵を生成するように構成されている鍵生成部を具備することを特徴とする移動局。
【請求項２１】
第１無線基地局配下の第１セルから第２無線基地局配下の第２セルへの移動局のハンドオーバ処理中に、該移動局と該第１セルとの間で確立されていた第１無線リンクにおける障害が検出された場合に、再接続処理によって、該移動局と該第２セルとの間で第２無線リンクを確立することができる移動通信システムにおいて、該第１無線基地局として動作可能な無線基地局であって、
前記ハンドオーバ処理において、乱数を生成するように構成されている乱数生成部と、
前記ハンドオーバ処理において、生成した乱数と、交換局から通知された所定情報とに基づいて、前記第２無線リンクで用いられる第２鍵を生成するための中間鍵を生成するように構成されている鍵生成部とを具備することを特徴とする無線基地局。
【請求項２２】
第１無線基地局配下の第１セルから第２無線基地局配下の第２セルへの移動局のハンドオーバ処理中に、該移動局と該第１セルとの間で確立されていた第１無線リンクにおける障害が検出された場合に、再接続処理によって、該移動局と該第２セルとの間で第２無線リンクを確立することができる移動通信システムにおける該移動局であって、
前記再接続処理において、前記第１無線基地局から受信した所定カウンタに対応する所定情報を算出し、該第１無線基地局から受信した乱数及び算出された該所定情報に基づいて、前記第２無線リンクで用いられる第２鍵を生成するための中間鍵を生成するように構成されている鍵生成部を具備することを特徴とする移動局。
【請求項２３】
第１無線基地局配下の第１セルから第２無線基地局配下の第２セルへの移動局のハンドオーバ処理中に、該移動局と該第１セルとの間で確立されていた第１無線リンクにおける障害が検出された場合に、再接続処理によって、該移動局と該第１セルとの間で第２無線リンクを確立することができる移動通信システムにおいて、該第１無線基地局として動作可能な無線基地局であって、
前記再接続処理において、乱数を生成するように構成されている乱数生成部と、
前記再接続処理において、生成した乱数と、前記第１無線リンクで用いられていた第１鍵とに基づいて、前記第２無線リンクで用いられる第２鍵を生成するための中間鍵を生成するように構成されている鍵生成部とを具備することを特徴とする無線基地局。
【請求項２４】
第１無線基地局配下の第１セルから第２無線基地局配下の第２セルへの移動局のハンドオーバ処理中に、該移動局と該第１セルとの間で確立されていた第１無線リンクにおける障害が検出された場合に、再接続処理によって、該移動局と該第１セルとの間で第２無線リンクを確立することができる移動通信システムにおける該移動局であって、
前記再接続処理において、前記第１無線基地局から受信した乱数と、前記第１無線リンクで用いられていた第１鍵とに基づいて、前記第２無線リンクで用いられる第２鍵を生成するための中間鍵を生成するように構成されている鍵生成部を具備することを特徴とする移動局。
【請求項２５】
第１無線基地局配下の第１セルから第２無線基地局配下の第２セルへの移動局のハンドオーバ処理中に、該移動局と該第１セルとの間で確立されていた第１無線リンクにおける障害が検出された場合に、再接続処理によって、該移動局と該第１セルとの間で第２無線リンクを確立することができる移動通信システムにおいて、該第１無線基地局として動作可能な無線基地局であって、
前記再接続処理において、乱数を生成するように構成されている乱数生成部と、
前記再接続処理において、生成した乱数と、交換局から通知された所定情報とに基づいて、前記第２無線リンクで用いられる第２鍵を生成するための中間鍵を生成するように構成されている鍵生成部とを具備することを特徴とする無線基地局。
【請求項２６】
第１無線基地局配下の第１セルから第２無線基地局配下の第２セルへの移動局のハンドオーバ処理中に、該移動局と該第１セルとの間で確立されていた第１無線リンクにおける障害が検出された場合に、再接続処理によって、該移動局と該第１セルとの間で第２無線リンクを確立することができる移動通信システムにおける該移動局であって、
前記再接続処理において、前記第１無線基地局から受信した所定カウンタに対応する所定情報を算出し、該第１無線基地局から受信した乱数及び算出された該所定情報に基づいて、前記第２無線リンクで用いられる第２鍵を生成するための中間鍵を生成するように構成されている鍵生成部を具備することを特徴とする移動局。
【発明の詳細な説明】
【技術分野】
【０００１】
本発明は、移動通信方法、無線基地局及び移動局に関する。
【背景技術】
【０００２】
ＬＴＥ（Ｒｅｌ-８）方式の移動通信システムにおいて、ＲＬＦ（Ｒａｄｉｏ  Ｌｉｎｋ  Ｆａｉｌｕｒｅ）検出後の再接続処理におけるＫｅＮＢの更新方法、すなわち、「ｋｅｙ  ｃｈａｉｎ」について、図１１に示す。
【０００３】
具体的には、第１に、無線基地局ｅＮＢは、移動局ＵＥと無線基地局ｅＮＢ＃１配下のセルとの間で確立されていた第１無線リンクで用いられていた第１鍵「ＫｅＮＢ」に対して、「ＰＣＩ（Ｐｈｙｓｉｃａｌ  Ｃｅｌｌ  ＩＤ）/ＡＲＦＣＮ（Ａｂｓｏｌｕｔｅ  Ｒａｄｉｏ  Ｆｒｅｑｕｅｎｃｙ  Ｃｈａｎｎｅｌ  Ｎｕｍｂｅｒ）  ｂｉｎｄｉｎｇ処理」を施して、再接続処理によって移動局ＵＥと当該セルとの間で確立される第２無線リンクで用いられる第２鍵「ＫｅＮＢ」を生成するための中間鍵「ＫｅＮＢ＊」を生成する。
【０００４】
ここで、無線基地局Ｓ-ｅＮＢは、当該セルのＰＣＩ（Ｔａｒｇｅｔ  ＰＣＩ）及びＡＲＦＣＮ（Ｔａｒｇｅｔ  ＡＲＦＮＣ）を用いて、かかる「ＰＣＩ/ＡＲＦＣＮ  ｂｉｎｄｉｎｇ処理」を行うものとする。
【０００５】
第２に、無線基地局ｅＮＢは、生成した中間鍵「ＫｅＮＢ＊」を、そのまま第２鍵「ＫｅＮＢ」として、第２無線リンクにおける通信で用いる。
【０００６】
第３に、移動局ＵＥは、第１無線リンクで用いられている第１鍵「ＫｅＮＢ」に基づいて中間鍵「ＫｅＮＢ＊」を生成し、生成した中間鍵「ＫｅＮＢ＊」を、そのまま第２鍵「ＫｅＮＢ」として、第２無線リンクにおける通信で用いる。
【先行技術文献】
【非特許文献】
【０００７】
【非特許文献１】３ＧＰＰ  ＴＳ３３.４０１
【非特許文献２】３ＧＰＰ  ＴＳ３６.３３１
【発明の概要】
【発明が解決しようとする課題】
【０００８】
しかしながら、ＬＴＥ方式の後継の通信方式であるＬＴＥ-Ａｄｖａｎｃｅｄ方式（ＬＴＥ（Ｒｅｌ-１０））方式の移動通信システムにおいて「Ｃａｒｒｉｅｒ  Ａｇｇｒｅｇａｔｉｏｎ（ＣＡ）」が適用されている場合、各「Ｃｏｍｐｏｎｅｎｔ  Ｃａｒｒｉｅｒ（ＣＣ）」のＰＣＩ及びＥ-ＡＲＦＣＮが異なる可能性があり、再接続処理において中間鍵「ＫｅＮＢ＊」を生成する際の「ＰＣＩ/ＡＲＦＣＮ  ｂｉｎｄｉｎｇ処理」で用いるべきＰＣＩ及びＡＲＦＣＮを一意に決定することができない可能性があるという問題点があった。
【０００９】
「ＣＡ」を行った場合に、各「ＣＣ」で同じＫｅＮＢを用いることが考えられるが、各「ＣＣ」のＰＣＩ及びＡＲＦＣＮが異なる可能性があるため、メインとなる「ＣＣ」、即ち「Ａｎｃｈｏｒ  ＣＣ」を指定する必要が生じる。
【００１０】
しかし、ハンドオーバ時に、ハンドオーバ先の無線基地局の事情により、「Ａｎｃｈｏｒ  ＣＣ」を変える必要が生じる場合がある。例えば、ハンドオーバ元とハンドオーバ先で、同じＡＲＦＣＮの「ＣＣ」が存在しない場合や、ハンドオーバ元で「Ａｎｃｈｏｒ  ＣＣ」となっていたＡＲＦＣＮに対応するハンドオーバ先の「ＣＣ」の負荷が高かった場合などである。
【００１１】
ハンドオーバ元の無線基地局では、ハンドオーバ先の無線基地局で、どの「ＣＣ」が「Ａｎｃｈｏｒ  ＣＣ」として選択されるか分からないため、ハンドオーバ元の無線基地局がＫｅＮＢ＊を生成してハンドオーバ先の無線基地局に転送する際に、ハンドオーバ先の無線基地局が管理する各「ＣＣ」のＰＣＩとＡＲＦＣＮに応じたＫｅＮＢ＊を生成し、これら全てをハンドオーバ先の無線基地局にハンドオーバ準備手順の中で転送する必要がある。
【００１２】
しかし、各「ＣＣ」に応じたＫｅＮＢ＊を生成するため、無線基地局の処理負荷が増大する問題があった。また、複数のＫｅＮＢ＊を転送するため、バックホールのシグナリング量が増大する問題があった。
【００１３】
そこで、本発明は、上述の課題に鑑みてなされたものであり、「ＣＡ」が適用されている場合であっても、再接続処理において、無線基地局の処理負荷とバックホールのシグナリング量を抑えつつ、中間鍵「ＫｅＮＢ＊」を生成することができる移動通信方法、無線基地局及び移動局を提供することを目的とする。
【課題を解決するための手段】
【００１４】
本発明の第１の特徴は、移動局と無線基地局配下のセルとの間で確立されている第１無線リンクにおける障害が検出された場合に、再接続処理によって、該移動局と該セルとの間で第２無線リンクを確立する移動通信方法であって、前記再接続処理において、前記無線基地局が、生成した乱数と、前記第１無線リンクで用いられていた第１鍵とに基づいて、前記第２無線リンクで用いられる第２鍵を生成するための中間鍵を生成する工程を有することを要旨とする。
【００１５】
本発明の第２の特徴は、移動局と無線基地局配下のセルとの間で確立されている第１無線リンクにおける障害が検出された場合に、再接続処理によって、該移動局と該セルとの間で第２無線リンクを確立する移動通信方法であって、前記再接続処理において、前記無線基地局が、生成した乱数と、交換局から通知された所定情報とに基づいて、前記第２無線リンクで用いられる第２鍵を生成するための中間鍵を生成する工程を有することを要旨とする。
【００１６】
本発明の第３の特徴は、第１無線基地局配下の第１セルから第２無線基地局配下の第２セルへの移動局のハンドオーバ処理中に、該移動局と該第１セルとの間で確立されていた第１無線リンクにおける障害が検出された場合に、再接続処理によって、該移動局と該第２セルとの間で第２無線リンクを確立する移動通信方法であって、前記ハンドオーバ処理において、前記第１無線基地局が、生成した乱数と、前記第１無線リンクで用いられていた第１鍵とに基づいて、前記第２無線リンクで用いられる第２鍵を生成するための中間鍵を生成する工程を有することを要旨とする。
【００１７】
本発明の第４の特徴は、第１無線基地局配下の第１セルから第２無線基地局配下の第２セルへの移動局のハンドオーバ処理中に、該移動局と該第１セルとの間で確立されていた第１無線リンクにおける障害が検出された場合に、再接続処理によって、該移動局と該第２セルとの間で第２無線リンクを確立する移動通信方法であって、前記ハンドオーバ処理において、前記第１無線基地局が、生成した乱数と、交換局から通知された所定情報とに基づいて、前記第２無線リンクで用いられる第２鍵を生成するための中間鍵を生成する工程を有することを要旨とする。
【００１８】
本発明の第５の特徴は、第１無線基地局配下の第１セルから第２無線基地局配下の第２セルへの移動局のハンドオーバ処理中に、該移動局と該第１セルとの間で確立されていた第１無線リンクにおける障害が検出された場合に、再接続処理によって、該移動局と該第１セルとの間で第２無線リンクを確立する移動通信方法であって、前記再接続処理において、前記第１無線基地局が、生成した乱数と、前記第１無線リンクで用いられていた第１鍵とに基づいて、前記第２無線リンクで用いられる第２鍵を生成するための中間鍵を生成する工程を有することを要旨とする。
【００１９】
本発明の第６の特徴は、第１無線基地局配下の第１セルから第２無線基地局配下の第２セルへの移動局のハンドオーバ処理中に、該移動局と該第１セルとの間で確立されていた第１無線リンクにおける障害が検出された場合に、再接続処理によって、該移動局と該第１セルとの間で第２無線リンクを確立する移動通信方法であって、前記再接続処理において、前記第１無線基地局が、生成した乱数と、交換局から通知された所定情報とに基づいて、前記第２無線リンクで用いられる第２鍵を生成するための中間鍵を生成する工程を有することを要旨とする。
【００２０】
本発明の第７の特徴は、移動局と無線基地局配下のセルとの間で確立されている第１無線リンクにおける障害が検出された場合に、再接続処理によって、該移動局と該セルとの間で第２無線リンクを確立することができる移動通信システムにおける該無線基地局であって、前記再接続処理において、乱数を生成するように構成されている乱数生成部と、前記再接続処理において、生成した乱数と、前記第１無線リンクで用いられていた第１鍵とに基づいて、前記第２無線リンクで用いられる第２鍵を生成するための中間鍵を生成するように構成されている鍵生成部とを具備することを要旨とする。
【００２１】
本発明の第８の特徴は、移動局と無線基地局配下のセルとの間で確立されている第１無線リンクにおける障害が検出された場合に、再接続処理によって、該移動局と該セルとの間で第２無線リンクを確立することができる移動通信システムにおける該移動局であって、前記再接続処理において、前記無線基地局から受信した乱数と、前記第１無線リンクで用いられていた第１鍵とに基づいて、前記第２無線リンクで用いられる第２鍵を生成するための中間鍵を生成するように構成されている鍵生成部を具備することを要旨とする。
【００２２】
本発明の第９の特徴は、移動局と無線基地局配下のセルとの間で確立されている第１無線リンクにおける障害が検出された場合に、再接続処理によって、該移動局と該セルとの間で第２無線リンクを確立することができる移動通信システムにおける該無線基地局であって、前記再接続処理において、乱数を生成するように構成されている乱数生成部と、前記再接続処理において、生成した乱数と、交換局から通知された所定情報とに基づいて、前記第２無線リンクで用いられる第２鍵を生成するための中間鍵を生成するように構成されている鍵生成部とを具備することを要旨とする。
【００２３】
本発明の第１０の特徴は、移動局と無線基地局配下のセルとの間で確立されている第１無線リンクにおける障害が検出された場合に、再接続処理によって、該移動局と該セルとの間で第２無線リンクを確立することができる移動通信システムにおける該移動局であって、前記再接続処理において、前記無線基地局から受信した所定カウンタに対応する所定情報を算出し、該無線基地局から受信した乱数及び算出された該所定情報に基づいて、前記第２無線リンクで用いられる第２鍵を生成するための中間鍵を生成するように構成されている鍵生成部を具備することを要旨とする。
【００２４】
本発明の第１１の特徴は、第１無線基地局配下の第１セルから第２無線基地局配下の第２セルへの移動局のハンドオーバ処理中に、該移動局と該第１セルとの間で確立されていた第１無線リンクにおける障害が検出された場合に、再接続処理によって、該移動局と該第２セルとの間で第２無線リンクを確立することができる移動通信システムにおいて、該第１無線基地局として動作可能な無線基地局であって、前記ハンドオーバ処理において、乱数を生成するように構成されている乱数生成部と、前記ハンドオーバ処理において、生成した乱数と、前記第１無線リンクで用いられていた第１鍵とに基づいて、前記第２無線リンクで用いられる第２鍵を生成するための中間鍵を生成するように構成されている鍵生成部とを具備することを要旨とする。
【００２５】
本発明の第１２の特徴は、第１無線基地局配下の第１セルから第２無線基地局配下の第２セルへの移動局のハンドオーバ処理中に、該移動局と該第１セルとの間で確立されていた第１無線リンクにおける障害が検出された場合に、再接続処理によって、該移動局と該第２セルとの間で第２無線リンクを確立することができる移動通信システムにおける該移動局であって、前記再接続処理において、前記第１無線基地局から受信した乱数と、前記第１無線リンクで用いられていた第１鍵とに基づいて、前記第２無線リンクで用いられる第２鍵を生成するための中間鍵を生成するように構成されている鍵生成部を具備することを要旨とする。
【００２６】
本発明の第１３の特徴は、第１無線基地局配下の第１セルから第２無線基地局配下の第２セルへの移動局のハンドオーバ処理中に、該移動局と該第１セルとの間で確立されていた第１無線リンクにおける障害が検出された場合に、再接続処理によって、該移動局と該第２セルとの間で第２無線リンクを確立することができる移動通信システムにおいて、該第１無線基地局として動作可能な無線基地局であって、前記ハンドオーバ処理において、乱数を生成するように構成されている乱数生成部と、前記ハンドオーバ処理において、生成した乱数と、交換局から通知された所定情報とに基づいて、前記第２無線リンクで用いられる第２鍵を生成するための中間鍵を生成するように構成されている鍵生成部とを具備することを要旨とする。
【００２７】
本発明の第１４の特徴は、第１無線基地局配下の第１セルから第２無線基地局配下の第２セルへの移動局のハンドオーバ処理中に、該移動局と該第１セルとの間で確立されていた第１無線リンクにおける障害が検出された場合に、再接続処理によって、該移動局と該第２セルとの間で第２無線リンクを確立することができる移動通信システムにおける該移動局であって、前記再接続処理において、前記第１無線基地局から受信した所定カウンタに対応する所定情報を算出し、該第１無線基地局から受信した乱数及び算出された該所定情報に基づいて、前記第２無線リンクで用いられる第２鍵を生成するための中間鍵を生成するように構成されている鍵生成部を具備することを要旨とする。
【００２８】
本発明の第１５の特徴は、第１無線基地局配下の第１セルから第２無線基地局配下の第２セルへの移動局のハンドオーバ処理中に、該移動局と該第１セルとの間で確立されていた第１無線リンクにおける障害が検出された場合に、再接続処理によって、該移動局と該第１セルとの間で第２無線リンクを確立することができる移動通信システムにおいて、該第１無線基地局として動作可能な無線基地局であって、前記再接続処理において、乱数を生成するように構成されている乱数生成部と、前記再接続処理において、生成した乱数と、前記第１無線リンクで用いられていた第１鍵とに基づいて、前記第２無線リンクで用いられる第２鍵を生成するための中間鍵を生成するように構成されている鍵生成部とを具備することを要旨とする。
【００２９】
本発明の第１６の特徴は、第１無線基地局配下の第１セルから第２無線基地局配下の第２セルへの移動局のハンドオーバ処理中に、該移動局と該第１セルとの間で確立されていた第１無線リンクにおける障害が検出された場合に、再接続処理によって、該移動局と該第１セルとの間で第２無線リンクを確立することができる移動通信システムにおける該移動局であって、前記再接続処理において、前記第１無線基地局から受信した乱数と、前記第１無線リンクで用いられていた第１鍵とに基づいて、前記第２無線リンクで用いられる第２鍵を生成するための中間鍵を生成するように構成されている鍵生成部を具備することを要旨とする。
【００３０】
本発明の第１７の特徴は、第１無線基地局配下の第１セルから第２無線基地局配下の第２セルへの移動局のハンドオーバ処理中に、該移動局と該第１セルとの間で確立されていた第１無線リンクにおける障害が検出された場合に、再接続処理によって、該移動局と該第１セルとの間で第２無線リンクを確立することができる移動通信システムにおいて、該第１無線基地局として動作可能な無線基地局であって、前記再接続処理において、乱数を生成するように構成されている乱数生成部と、前記再接続処理において、生成した乱数と、交換局から通知された所定情報とに基づいて、前記第２無線リンクで用いられる第２鍵を生成するための中間鍵を生成するように構成されている鍵生成部とを具備することを要旨とする。
【００３１】
本発明の第１８の特徴は、第１無線基地局配下の第１セルから第２無線基地局配下の第２セルへの移動局のハンドオーバ処理中に、該移動局と該第１セルとの間で確立されていた第１無線リンクにおける障害が検出された場合に、再接続処理によって、該移動局と該第１セルとの間で第２無線リンクを確立することができる移動通信システムにおける該移動局であって、前記再接続処理において、前記第１無線基地局から受信した所定カウンタに対応する所定情報を算出し、該第１無線基地局から受信した乱数及び算出された該所定情報に基づいて、前記第２無線リンクで用いられる第２鍵を生成するための中間鍵を生成するように構成されている鍵生成部を具備することを要旨とする。
【発明の効果】
【００３２】
以上説明したように、本発明によれば、「ＣＡ」が適用されている場合であっても、再接続処理において、無線基地局の処理負荷とバックホールのシグナリング量を抑えつつ、中間鍵「ＫｅＮＢ＊」を生成することができる移動通信方法、無線基地局及び移動局を提供することができる。
【図面の簡単な説明】
【００３３】
【図１】本発明の第１の実施形態に係る移動通信システムの全体構成図である。
【図２】本発明の第１の実施形態に係る無線基地局の機能ブロック図である。
【図３】本発明の第１の実施形態に係る移動通信システムにおける鍵の更新方法について説明するための図である。
【図４】本発明の第１の実施形態に係る移動局の機能ブロック図である。
【図５】本発明の第１の実施形態に係る移動通信システムの動作を示すシーケンス図である。
【図６】本発明の第１の実施形態に係る移動通信システムの動作を示すシーケンス図である。
【図７】本発明の第１の実施形態に係る移動通信システムの動作を示すシーケンス図である。
【図８】本発明の第１の実施形態に係る移動通信システムの動作を示すシーケンス図である。
【図９】本発明の第１の実施形態に係る移動通信システムの動作を示すシーケンス図である。
【図１０】本発明の第１の実施形態に係る移動通信システムの動作を示すシーケンス図である。
【図１１】ＬＴＥ（Ｒｅｌ-８）方式の移動通信システムにおける鍵の更新方法について説明するための図である。
【発明を実施するための形態】
【００３４】
（本発明の第１の実施形態に係る移動通信システムの構成）
図１乃至図４を参照して、本発明の第１の実施形態に係る移動通信システムの構成について説明する。
【００３５】
本実施形態に係る移動通信システムは、ＬＴＥ-Ａｄｖｅｎｃｅｄ方式の移動通信システムであり、図１に示すように、交換局ＭＭＥと、無線基地局ｅＮＢ＃１/ｅＮＢ＃２とを具備している。
【００３６】
無線基地局ｅＮＢ＃１は、「ＰＣＩ＝１」及び「ＡＲＦＣＮ＝Ｆ１」によって特定されるセル＃１と、「ＰＣＩ＝２」及び「ＡＲＦＣＮ＝Ｆ２」によって特定されるセル＃２と、「ＰＣＩ＝３」及び「ＡＲＦＣＮ＝Ｆ３」によって特定されるセル＃３とを管理している。
【００３７】
また、無線基地局ｅＮＢ＃２は、「ＰＣＩ＝４」及び「ＡＲＦＣＮ＝Ｆ１」によって特定されるセル＃４と、「ＰＣＩ＝５」及び「ＡＲＦＣＮ＝Ｆ２」によって特定されるセル＃５と、「ＰＣＩ＝６」及び「ＡＲＦＣＮ＝Ｆ３」によって特定されるセル＃６とを管理している。
【００３８】
本実施形態において、無線基地局ｅＮＢ＃１の構成及び無線基地局ｅＮＢ＃２の構成は、基本的に同一であるため、以下、無線基地局ｅＮＢの構成として説明する。
【００３９】
図２に示すように、無線基地局ｅＮＢは、乱数生成部１１と、鍵生成部１２と、再接続処理部１３とを具備している。
【００４０】
乱数生成部１１は、ハンドオーバ処理或いは再接続処理において、乱数「Ｒａｎｄ」を生成するように構成されている。
【００４１】
例えば、移動局ＵＥとセル＃１との間の再接続処理において、セル＃１を管理する無線基地局ｅＮＢ＃１の乱数生成部１１が、乱数「Ｒａｎｄ」を生成するように構成されている。
【００４２】
また、セル＃１からセル＃４への移動局ＵＥのＸ２ハンドオーバ処理において、セル＃１を管理する無線基地局ｅＮＢ＃１の乱数生成部１１が、乱数「Ｒａｎｄ」を生成するように構成されている。
【００４３】
なお、セル＃１からセル＃４への移動局ＵＥのＸ２ハンドオーバ処理中に、移動局ＵＥとセル＃１との間で確立されていた第１無線リンク（ＲＲＣコネクション）における障害（ＲＬＦ）が検出された場合には、再接続処理において、セル＃１を管理する無線基地局ｅＮＢ＃１の乱数生成部１１が、乱数「Ｒａｎｄ」を生成するように構成されていてもよい。
【００４４】
鍵生成部１２は、ハンドオーバ処理或いは再接続処理において、移動局ＵＥと無線基地局ｅＮＢ配下のセルとの間で確立される無線リンクにおける通信で用いられる鍵「ＫｅＮＢ」を生成するための中間鍵「ＫｅＮＢ＊」を生成するように構成されている。
【００４５】
例えば、移動局ＵＥとセル＃１との間の再接続処理において、セル＃１を管理する無線基地局ｅＮＢ＃１の鍵生成部１２が、移動局ＵＥとセル＃１との間で確立される第２無線リンクで用いられる第２鍵「ＫｅＮＢ」を生成するための中間鍵「ＫｅＮＢ＊」を生成するように構成されている。
【００４６】
また、セル＃１からセル＃４への移動局ＵＥのＸ２ハンドオーバ処理では、セル＃１を管理する無線基地局ｅＮＢ＃１の鍵生成部１２が、移動局ＵＥとセル＃４との間で確立される第２無線リンクで用いられる第２鍵「ＫｅＮＢ」を生成するための中間鍵「ＫｅＮＢ＊」を生成するように構成されている。
【００４７】
具体的には、図３に示すように、移動局ＵＥとセル＃１との間の再接続処理において、セル＃１を管理する無線基地局ｅＮＢ＃１の鍵生成部１２が、移動局ＵＥとセル＃２との間で確立されていた第１無線リンクで用いられていた第１鍵「ＫｅＮＢ」及び乱数生成部１１によって生成された乱数「Ｒａｎｄ」に基づいて、移動局ＵＥとセル＃１との間で確立される第２無線リンクで用いられる第２鍵「ＫｅＮＢ」を生成するための中間鍵「ＫｅＮＢ＊」を生成するように構成されていてもよい。
【００４８】
或いは、セル＃１からセル＃４への移動局ＵＥのＸ２ハンドオーバ処理において、セル＃１を管理する無線基地局ｅＮＢ＃１の鍵生成部１２が、移動局ＵＥとセル＃１との間で確立されている第１無線リンクで用いられている第１鍵「ＫｅＮＢ」及び乱数生成部１１によって生成された乱数「Ｒａｎｄ」に基づいて、移動局ＵＥとセル＃４との間で確立される第２無線リンクで用いられる第２鍵「ＫｅＮＢ」を生成するための中間鍵「ＫｅＮＢ＊」を生成するように構成されていてもよい。
【００４９】
ここで、鍵生成部１２は、従来のような「ＰＣＩ/ＡＲＦＣＮ  ｂｉｎｄｉｎｇ処理」を行うことなく、第１鍵「ＫｅＮＢ」に対する乱数「Ｒａｎｄ」を用いた「ｂｉｎｄｉｎｇ処理」を行うことによって、具体的には、「ＫｅＮＢ＊＝ＫＤＦ（ＫｅＮＢ，Ｒａｎｄ）」の計算を行うことによって、中間鍵「ＫｅＮＢ＊」を生成するように構成されていてもよい。
【００５０】
なお、「ＫＤＦ（Ｋｅｙ  Ｄｅｒｉｖａｔｉｏｎ  Ｆｕｎｃｔｉｏｎ）」は、不可逆変換の関数であり、出力（ＫｅＮＢ＊）から入力（ＫｅＮＢ）を算出することができないという性質を有する。
【００５１】
その結果、セル＃４を管理している無線基地局ｅＮＢ＃２が、移動局ＵＥとセル＃１との間で確立されていた第１無線リンクで用いられていた第１鍵「ＫｅＮＢ」を推定することができないという効果を奏する。
【００５２】
また、図３に示すように、移動局ＵＥとセル＃１との間の再接続処理において、セル＃１を管理する無線基地局ｅＮＢ＃１の鍵生成部１２が、交換局ＭＭＥから通知された所定情報「ＮＨ」及び乱数生成部１１によって生成された乱数「Ｒａｎｄ」に基づいて、移動局ＵＥとセル＃１との間で確立される第２無線リンクで用いられる第２鍵「ＫｅＮＢ」を生成するための中間鍵「ＫｅＮＢ＊」を生成するように構成されていてもよい。
【００５３】
或いは、セル＃１からセル＃４への移動局ＵＥのＸ２ハンドオーバ処理において、セル＃１を管理する無線基地局ｅＮＢ＃１の鍵生成部１２が、交換局ＭＭＥから通知された所定情報「ＮＨ」及び乱数生成部１１によって生成された乱数「Ｒａｎｄ」に基づいて、移動局ＵＥとセル＃４との間で確立される第２無線リンクで用いられる第２鍵「ＫｅＮＢ」を生成するための中間鍵「ＫｅＮＢ＊」を生成するように構成されていてもよい。
【００５４】
ここで、鍵生成部１２は、従来のような「ＰＣＩ/ＡＲＦＣＮ  ｂｉｎｄｉｎｇ処理」を行うことなく、交換局ＭＭＥから通知された所定カウンタ「ＮＣＣ（図３における行番号）」に対応する所定情報「ＮＨ」に対する乱数「Ｒａｎｄ」を用いた「ｂｉｎｄｉｎｇ処理」を行うことによって、具体的には、「ＫｅＮＢ＊＝ＫＤＦ（ＮＨ，Ｒａｎｄ）」の計算を行うことによって、中間鍵「ＫｅＮＢ＊」を生成するように構成されていてもよい。
【００５５】
この結果、図３における行を変えることができ、それまで更新されてきた鍵「ＫｅＮＢ」の連続性（ｃｈａｉｎ）を断ち切ることで、システムのセキュリティを高めることができる。
【００５６】
再接続処理部１３は、移動局ＵＥや交換局ＭＭＥや他の無線基地局ｅＮＢとの間で、再接続処理に係る信号を送受信するように構成されている。
【００５７】
図４に示すように、移動局ＵＥは、再接続処理部２１と、鍵生成部２２とを具備している。
【００５８】
再接続処理部２１は、交換局ＭＭＥや無線基地局ｅＮＢとの間で、再接続処理に係る信号を送受信するように構成されている。
【００５９】
鍵生成部２２は、再接続処理において、再接続先セルとの間で確立される無線リンク（ＲＲＣコネクション）で用いられる第２鍵「ＫｅＮＢ」を生成するための中間鍵「ＫｅＮＢ＊」を生成するように構成されている。
【００６０】
具体的には、図３に示すように、移動局ＵＥとセル＃１との間の再接続処理において、鍵生成部２２は、移動局ＵＥとセル＃２との間で確立されていた第１無線リンクで用いられていた第１鍵「ＫｅＮＢ」及び無線基地局ｅＮＢ＃１から「Ｒｅｅｓｔａｂｌｉｓｈｍｅｎｔ（再接続信号）」によって通知された乱数「Ｒａｎｄ」に基づいて、移動局ＵＥとセル＃１との間で確立される第２無線リンクで用いられる第２鍵「ＫｅＮＢ」を生成するための中間鍵「ＫｅＮＢ＊」を生成するように構成されていてもよい。
【００６１】
ここで、鍵生成部２２は、従来のような「ＰＣＩ/ＡＲＦＣＮ  ｂｉｎｄｉｎｇ処理」を行うことなく、第１鍵「ＫｅＮＢ」に対する乱数「Ｒａｎｄ」を用いた「ｂｉｎｄｉｎｇ処理」を行うことによって、具体的には、「ＫｅＮＢ＊＝ＫＤＦ（ＫｅＮＢ，Ｒａｎｄ）」の計算を行うことによって、中間鍵「ＫｅＮＢ＊」を生成するように構成されていてもよい。
【００６２】
また、図３に示すように、移動局ＵＥとセル＃１との間の再接続処理において、セル＃１を管理する無線基地局ｅＮＢ＃１の鍵生成部１２が、無線基地局ｅＮＢ＃１から「Ｒｅｅｓｔａｂｌｉｓｈｍｅｎｔ（再接続信号）」によって通知された所定カウンタ「ＮＣＣ」に対応する所定情報「ＮＨ」を算出し、算出した所定情報「ＮＨ」及び無線基地局ｅＮＢ＃１から「Ｒｅｅｓｔａｂｌｉｓｈｍｅｎｔ（再接続信号）」によって通知された乱数「Ｒａｎｄ」に基づいて、移動局ＵＥとセル＃１との間で確立される第２無線リンクで用いられる第２鍵「ＫｅＮＢ」を生成するための中間鍵「ＫｅＮＢ＊」を生成するように構成されていてもよい。
【００６３】
ここで、鍵生成部２２は、従来のような「ＰＣＩ/ＡＲＦＣＮ  ｂｉｎｄｉｎｇ処理」を行うことなく、所定カウンタ「ＮＣＣ」に対応する所定情報「ＮＨ」に対する乱数「Ｒａｎｄ」を用いた「ｂｉｎｄｉｎｇ処理」を行うことによって、具体的には、「ＫｅＮＢ＊＝ＫＤＦ（ＮＨ，Ｒａｎｄ）」の計算を行うことによって、中間鍵「ＫｅＮＢ＊」を生成するように構成されていてもよい。
【００６４】
なお、鍵生成部２２は、「ＮＨ＝ＫＤＦ（ＫＡＳＭＥ，ＮＨ）」の計算を行うことによって、所定カウンタ「ＮＣＣ」に対応する所定情報「ＮＨ」を算出するように構成されていてもよい。
【００６５】
（本発明の第１の実施形態に係る移動通信システムの動作）
図５乃至図１０を参照して、本発明の第１の実施形態に係る移動通信システムの動作について説明する。
【００６６】
第１に、図５を参照して、本実施形態に係る移動通信システムにおいて、移動局ＵＥとセル＃１との間で確立されている第１無線リンクにおいてＲＬＦが検出され、再接続処理によって、移動局ＵＥとセル＃１との間で第２無線リンクを確立する際の動作１について説明する。
【００６７】
図５に示すように、移動局ＵＥは、ステップＳ１００１において、第１無線リンクにおいてＲＬＦを検出すると、ステップＳ１００２において、セル選択処理によってセル＃１を選択し、ステップＳ１００３において、セル＃１を管理する無線基地局ｅＮＢ＃１に対して、「Ｒｅｅｓｔａｂｌｉｓｈｍｅｎｔ  Ｒｅｑｕｅｓｔ（再接続要求信号）」を送信する。
【００６８】
ステップＳ１００４において、無線基地局ｅＮＢ＃１は、受信した「Ｒｅｅｓｔａｂｌｉｓｈｍｅｎｔ  Ｒｅｑｕｅｓｔ」に応じて、乱数「Ｒａｎｄ」を生成し、第１無線リンクで用いられている第１鍵「ＫｅＮＢ」に対する乱数「Ｒａｎｄ」を用いた「ｂｉｎｄｉｎｇ処理」を行うことによって、具体的には、「ＫｅＮＢ＊＝ＫＤＦ（ＫｅＮＢ，Ｒａｎｄ）」の計算を行うことによって、セル＃１と移動局ＵＥとの間で確立される第２無線リンクで用いられる第２鍵「ＫｅＮＢ」を生成するための中間鍵「ＫｅＮＢ＊」を生成する。
【００６９】
ここで、無線基地局ｅＮＢ＃１は、生成した中間鍵「ＫｅＮＢ＊」を、そのまま第２無線リンクで用いられる第２鍵「ＫｅＮＢ」とする。
【００７０】
ステップＳ１００５において、無線基地局ｅＮＢ＃１は、移動局ＵＥに対して、所定カウンタ「ＮＣＣ」と乱数「Ｒａｎｄ」とを含む「Ｒｅｅｓｔａｂｌｉｓｈｍｅｎｔ（再接続信号）」を送信する。
【００７１】
ステップＳ１００６において、移動局ＵＥは、第１無線リンクで用いられている第１鍵「ＫｅＮＢ」に対する乱数「Ｒａｎｄ」を用いた「ｂｉｎｄｉｎｇ処理」を行うことによって、具体的には、「ＫｅＮＢ＊＝ＫＤＦ（ＫｅＮＢ，Ｒａｎｄ）」の計算を行うことによって、第２無線リンクで用いられる第２鍵「ＫｅＮＢ」を生成するための中間鍵「ＫｅＮＢ＊」を生成するように構成されていてもよい。
【００７２】
ここで、移動局ＵＥは、生成した中間鍵「ＫｅＮＢ＊」を、そのまま第２無線リンクで用いられる第２鍵「ＫｅＮＢ」とする。
【００７３】
ステップＳ１００７において、移動局ＵＥは、無線基地局ｅＮＢ＃１に対して、「Ｒｅｅｓｔａｂｌｉｓｈｍｅｎｔ  Ｃｏｍｐｌｅｔｅ（再接続完了信号）」を送信し、ステップＳ１００８において、無線基地局ｅＮＢ＃１は、移動局ＵＥに対して、「Ｒｅｃｏｎｆｉｇｕｒａｔｉｏｎ（再構成信号）」を送信し、ステップＳ１００９において、移動局ＵＥは、無線基地局ｅＮＢ＃１に対して、「Ｒｅｃｏｎｆｉｇｕｒａｔｉｏｎ  Ｃｏｍｐｌｅｔｅ（再構成完了信号）」を送信する。
【００７４】
第２に、図６を参照して、本実施形態に係る移動通信システムにおいて、移動局ＵＥとセル＃１との間で確立されている第１無線リンクにおいてＲＬＦが検出され、再接続処理によって、移動局ＵＥとセル＃１との間で第２無線リンクを確立する際の動作２について説明する。
【００７５】
図６に示すように、移動局ＵＥは、ステップＳ２００１において、第１無線リンクにおいてＲＬＦを検出すると、ステップＳ２００２において、セル選択処理によってセル＃１を選択し、ステップＳ２００３において、セル＃１を管理する無線基地局ｅＮＢ＃１に対して、「Ｒｅｅｓｔａｂｌｉｓｈｍｅｎｔ  Ｒｅｑｕｅｓｔ（再接続要求信号）」を送信する。
【００７６】
ステップＳ２００４において、無線基地局ｅＮＢ＃１は、受信した「Ｒｅｅｓｔａｂｌｉｓｈｍｅｎｔ  Ｒｅｑｕｅｓｔ」に応じて、乱数「Ｒａｎｄ」を生成し、交換局ＭＭＥから通知された所定情報「ＮＨ」に対する乱数「Ｒａｎｄ」を用いた「ｂｉｎｄｉｎｇ処理」を行うことによって、具体的には、「ＫｅＮＢ＊＝ＫＤＦ（ＫｅＮＢ，Ｒａｎｄ）」の計算を行うことによって、セル＃１と移動局ＵＥとの間で確立される第２無線リンクで用いられる第２鍵「ＫｅＮＢ」を生成するための中間鍵「ＫｅＮＢ＊」を生成する。
【００７７】
ここで、無線基地局ｅＮＢ＃１は、生成した中間鍵「ＫｅＮＢ＊」を、そのまま第２無線リンクで用いられる第２鍵「ＫｅＮＢ」とする。
【００７８】
ステップＳ２００５において、無線基地局ｅＮＢ＃１は、移動局ＵＥに対して、所定カウンタ「ＮＣＣ」と乱数「Ｒａｎｄ」とを含む「Ｒｅｅｓｔａｂｌｉｓｈｍｅｎｔ」を送信する。
【００７９】
ステップＳ２００６において、移動局ＵＥは、受信した「Ｒｅｅｓｔａｂｌｉｓｈｍｅｎｔ」に含まれる所定カウンタ「ＮＣＣ」に対応する所定情報「ＮＨ」を、「ＮＨ＝ＫＤＦ（ＫＡＳＭＥ，ＮＨ）」の計算を行うことによって算出する。
【００８０】
そして、移動局ＵＥは、算出した所定情報「ＮＨ」に対する乱数「Ｒａｎｄ」を用いた「ｂｉｎｄｉｎｇ処理」を行うことによって、具体的には、「ＫｅＮＢ＊＝ＫＤＦ（ＮＨ，Ｒａｎｄ）」の計算を行うことによって、第２無線リンクで用いられる第２鍵「ＫｅＮＢ」を生成するための中間鍵「ＫｅＮＢ＊」を生成する。
【００８１】
ここで、移動局ＵＥは、生成した中間鍵「ＫｅＮＢ＊」を、そのまま第２無線リンクで用いられる第２鍵「ＫｅＮＢ」とする。
【００８２】
ステップＳ２００７において、移動局ＵＥは、無線基地局ｅＮＢ＃１に対して、「Ｒｅｅｓｔａｂｌｉｓｈｍｅｎｔ  Ｃｏｍｐｌｅｔｅ」を送信し、ステップＳ２００８において、無線基地局ｅＮＢ＃１は、移動局ＵＥに対して、「Ｒｅｃｏｎｆｉｇｕｒａｔｉｏｎ」を送信し、ステップＳ２００９において、移動局ＵＥは、無線基地局ｅＮＢ＃１に対して、「Ｒｅｃｏｎｆｉｇｕｒａｔｉｏｎ  Ｃｏｍｐｌｅｔｅ」を送信する。
【００８３】
第３に、図７を参照して、本実施形態に係る移動通信システムにおいて、セル＃１からセル＃４への移動局ＵＥのハンドオーバ処理が行われている際に、移動局ＵＥとセル＃１との間で確立されている第１無線リンクにおいてＲＬＦが検出され、再接続処理によって、移動局ＵＥとセル＃４との間で第２無線リンクを確立する際の動作１について説明する。
【００８４】
図７に示すように、ステップＳ３００１において、移動局ＵＥは、セル＃１を管理する無線基地局ｅＮＢ＃１に対して、「Ｍｅａｓｕｒｅｍｅｎｔ  Ｒｅｐｏｒｔ（測定報告信号）」を送信する。
【００８５】
ステップＳ３００２において、無線基地局ｅＮＢ＃１は、セル＃１からセル＃４への移動局ＵＥのＸ２ハンドオーバ処理を開始することを決定すると、乱数「Ｒａｎｄ」を生成し、第１無線リンクで用いられている第１鍵「ＫｅＮＢ」及び生成した乱数「Ｒａｎｄ」に基づいて、第２無線リンクで用いられる第２鍵「ＫｅＮＢ」を生成するための中間鍵「ＫｅＮＢ＊」を生成する。
【００８６】
ステップＳ３００３において、無線基地局ｅＮＢ＃１は、セル＃４を管理する無線基地局ｅＮＢ＃２に対して、所定カウンタ「ＮＣＣ」と中間鍵「ＫｅＮＢ＊」と「乱数「Ｒａｎｄ」とを含む「ＨＯ  Ｐｒｅｐａｒａｔｉｏｎ（ハンドオーバ準備信号）」を送信する。
【００８７】
ステップＳ３００４において、無線基地局ｅＮＢ＃２は、受信した「ＨＯ  Ｐｒｅｐａｒａｔｉｏｎ」に含まれる中間鍵「ＫｅＮＢ＊」を、そのまま第２無線リンクで用いられる第２鍵「ＫｅＮＢ」とする。
【００８８】
ステップＳ３００５において、無線基地局ｅＮＢ＃２は、無線基地局ｅＮＢ＃１に対して、所定カウンタ「ＮＣＣ」と乱数「Ｒａｎｄ」とを含む「ＨＯ  Ｐｒｅｐａｒａｔｉｏｎ  Ａｃｋ（ハンドオーバ準備応答信号）」を送信する。
【００８９】
ステップＳ３００６において、無線基地局ｅＮＢ＃１は、移動局ＵＥに対して、所定カウンタ「ＮＣＣ」と乱数「Ｒａｎｄ」とを含む「ＨＯ  Ｃｏｍｍａｎｄ（ハンドオーバ指示信号）」の送信を試みるが、失敗する。
【００９０】
移動局ＵＥは、ステップＳ３００７において、第１無線リンクにおいてＲＬＦを検出すると、ステップＳ３００８において、セル選択処理によってセル＃４を選択し、ステップＳ３００９において、セル＃４を管理する無線基地局ｅＮＢ＃２に対して、「Ｒｅｅｓｔａｂｌｉｓｈｍｅｎｔ  Ｒｅｑｕｅｓｔ」を送信する。
【００９１】
ステップＳ３０１０において、無線基地局ｅＮＢ＃２は、受信した「Ｒｅｅｓｔａｂｌｉｓｈｍｅｎｔ  Ｒｅｑｕｅｓｔ」に応じて、移動局ＵＥに対して、所定カウンタ「ＮＣＣ」と乱数「Ｒａｎｄ」とを含む「Ｒｅｅｓｔａｂｌｉｓｈｍｅｎｔ」を送信する。
【００９２】
ステップＳ３０１１において、移動局ＵＥは、第１無線リンクで用いられている第１鍵「ＫｅＮＢ」に対する乱数「Ｒａｎｄ」を用いた「ｂｉｎｄｉｎｇ処理」を行うことによって、具体的には、「ＫｅＮＢ＊＝ＫＤＦ（ＫｅＮＢ，Ｒａｎｄ）」の計算を行うことによって、第２無線リンクで用いられる第２鍵「ＫｅＮＢ」を生成するための中間鍵「ＫｅＮＢ＊」を生成する。
【００９３】
ここで、移動局ＵＥは、生成した中間鍵「ＫｅＮＢ＊」を、そのまま第２無線リンクで用いられる第２鍵「ＫｅＮＢ」とする。
【００９４】
ステップＳ３０１２において、移動局ＵＥは、無線基地局ｅＮＢ＃２に対して、「Ｒｅｅｓｔａｂｌｉｓｈｍｅｎｔ  Ｃｏｍｐｌｅｔｅ」を送信し、ステップＳ３０１３において、無線基地局ｅＮＢ＃２は、移動局ＵＥに対して、「Ｒｅｃｏｎｆｉｇｕｒａｔｉｏｎ」を送信し、ステップＳ３０１４において、移動局ＵＥは、無線基地局ｅＮＢ＃２に対して、「Ｒｅｃｏｎｆｉｇｕｒａｔｉｏｎ  Ｃｏｍｐｌｅｔｅ」を送信する。
【００９５】
ステップＳ３０１５において、無線基地局ｅＮＢ＃２は、交換局ＭＭＥに対して、「Ｐａｔｈ  Ｓｗｉｔｃｈ（経路切替信号）」を送信し、交換局ＭＭＥは、ステップＳ３０１６において、「ＮＨ＝ＫＤＦ（ＫＡＳＭＥ，ＮＨ）」の計算を行うことによって、所定情報「ＮＨ」を更新し、ステップＳ３０１７において、最新の所定情報「ＮＨ」及び当該所定情報「ＮＨ」に対応する所定カウンタ「ＮＣＣ」を含む「Ｐａｔｈ  Ｓｗｉｔｃｈ  Ａｃｋ（経路切替応答信号）」を送信する。
【００９６】
ステップＳ３０１８において、無線基地局ｅＮＢ＃２は、無線基地局ｅＮＢ＃１に対して、「Ｒｅｌｅａｓｅ  Ｒｅｓｏｕｒｃｅ（リソース開放信号）」を送信する。
【００９７】
第４に、図８を参照して、本実施形態に係る移動通信システムにおいて、セル＃１からセル＃４への移動局ＵＥのハンドオーバ処理が行われている際に、移動局ＵＥとセル＃１との間で確立されている第１無線リンクにおいてＲＬＦが検出され、再接続処理によって、移動局ＵＥとセル＃４との間で第２無線リンクを確立する際の動作２について説明する。
【００９８】
図８に示すように、ステップＳ４００１において、移動局ＵＥは、セル＃１を管理する無線基地局ｅＮＢ＃１に対して、「Ｍｅａｓｕｒｅｍｅｎｔ  Ｒｅｐｏｒｔ」を送信する。
【００９９】
ステップＳ４００２において、無線基地局ｅＮＢ＃１は、セル＃１からセル＃４への移動局ＵＥのＸ２ハンドオーバ処理を開始することを決定すると、乱数「Ｒａｎｄ」を生成し、交換局ＭＭＥから通知された所定情報「ＮＨ」及び生成した乱数「Ｒａｎｄ」に基づいて、第２無線リンクで用いられる第２鍵「ＫｅＮＢ」を生成するための中間鍵「ＫｅＮＢ＊」を生成する。
【０１００】
ステップＳ４００３乃至Ｓ４０１０の動作は、図７に示すステップＳ３００３乃至Ｓ３０１０の動作と同一である。
【０１０１】
ステップＳ４０１１において、移動局ＵＥは、受信した「Ｒｅｅｓｔａｂｌｉｓｈｍｅｎｔ」に含まれる所定カウンタ「ＮＣＣ」に対応する所定情報「ＮＨ」を、「ＮＨ＝ＫＤＦ（ＫＡＳＭＥ，ＮＨ）」の計算を行うことによって算出する。
【０１０２】
そして、移動局ＵＥは、算出した所定情報「ＮＨ」に対する乱数「Ｒａｎｄ」を用いた「ｂｉｎｄｉｎｇ処理」を行うことによって、具体的には、「ＫｅＮＢ＊＝ＫＤＦ（ＮＨ，Ｒａｎｄ）」の計算を行うことによって、第２無線リンクで用いられる第２鍵「ＫｅＮＢ」を生成するための中間鍵「ＫｅＮＢ＊」を生成する。
【０１０３】
ここで、移動局ＵＥは、生成した中間鍵「ＫｅＮＢ＊」を、そのまま第２無線リンクで用いられる第２鍵「ＫｅＮＢ」とする。
【０１０４】
以下、ステップＳ４０１２乃至Ｓ４０１８の動作は、図７に示すステップＳ３０１２乃至Ｓ３０１８の動作と同一である。
【０１０５】
第５に、図９を参照して、本実施形態に係る移動通信システムにおいて、セル＃１からセル＃４への移動局ＵＥのハンドオーバ処理が行われている際に、移動局ＵＥとセル＃１との間で確立されている第１無線リンクにおいてＲＬＦが検出され、再接続処理によって、移動局ＵＥとセル＃１との間で第２無線リンクを確立する際の動作１について説明する。
【０１０６】
図９に示すように、ステップＳ５００１乃至Ｓ５００７の動作は、図７に示すステップＳ３００１乃至Ｓ３００７の動作と同一である。
【０１０７】
移動局ＵＥは、ステップＳ５００８において、セル選択処理によってセル＃１を選択し、ステップＳ５００９において、セル＃１を管理する無線基地局ｅＮＢ＃１に対して、「Ｒｅｅｓｔａｂｌｉｓｈｍｅｎｔ  Ｒｅｑｕｅｓｔ」を送信する。
【０１０８】
ステップＳ５０１０において、無線基地局ｅＮＢ＃１は、乱数「Ｒａｎｄ」を生成し、第１無線リンクで用いられている第１鍵「ＫｅＮＢ」及び生成した乱数「Ｒａｎｄ」に基づいて、第２無線リンクで用いられる第２鍵「ＫｅＮＢ」を生成するための中間鍵「ＫｅＮＢ＊」を生成する。
【０１０９】
ここで、無線基地局ｅＮＢ＃１は、生成した中間鍵「ＫｅＮＢ＊」を、そのまま第２無線リンクで用いられる第２鍵「ＫｅＮＢ」とする。
【０１１０】
ステップＳ５０１１において、無線基地局ｅＮＢ＃１は、移動局ＵＥに対して、所定カウンタ「ＮＣＣ」と乱数「Ｒａｎｄ」とを含む「Ｒｅｅｓｔａｂｌｉｓｈｍｅｎｔ」を送信する。
【０１１１】
ステップＳ５０１２において、移動局ＵＥは、第１無線リンクで用いられている第１鍵「ＫｅＮＢ」に対する乱数「Ｒａｎｄ」を用いた「ｂｉｎｄｉｎｇ処理」を行うことによって、具体的には、「ＫｅＮＢ＊＝ＫＤＦ（ＫｅＮＢ，Ｒａｎｄ）」の計算を行うことによって、第２無線リンクで用いられる第２鍵「ＫｅＮＢ」を生成するための中間鍵「ＫｅＮＢ＊」を生成する。
【０１１２】
ここで、移動局ＵＥは、生成した中間鍵「ＫｅＮＢ＊」を、そのまま第２無線リンクで用いられる第２鍵「ＫｅＮＢ」とする。
【０１１３】
ステップＳ５０１３において、移動局ＵＥは、無線基地局ｅＮＢ＃１に対して、「Ｒｅｅｓｔａｂｌｉｓｈｍｅｎｔ  Ｃｏｍｐｌｅｔｅ」を送信し、ステップＳ５０１４において、無線基地局ｅＮＢ＃１は、移動局ＵＥに対して、「Ｒｅｃｏｎｆｉｇｕｒａｔｉｏｎ」を送信し、ステップＳ５０１５において、移動局ＵＥは、無線基地局ｅＮＢ＃１に対して、「Ｒｅｃｏｎｆｉｇｕｒａｔｉｏｎ  Ｃｏｍｐｌｅｔｅ」を送信する。
【０１１４】
第６に、図１０を参照して、本実施形態に係る移動通信システムにおいて、セル＃１からセル＃４への移動局ＵＥのハンドオーバ処理が行われている際に、移動局ＵＥとセル＃１との間で確立されている第１無線リンクにおいてＲＬＦが検出され、再接続処理によって、移動局ＵＥとセル＃１との間で第２無線リンクを確立する際の動作２について説明する。
【０１１５】
図１０に示すように、ステップＳ６００１において、移動局ＵＥは、セル＃１を管理する無線基地局ｅＮＢ＃１に対して、「Ｍｅａｓｕｒｅｍｅｎｔ  Ｒｅｐｏｒｔ」を送信する。
【０１１６】
ステップＳ６００２において、無線基地局ｅＮＢ＃１は、セル＃１からセル＃４への移動局ＵＥのＸ２ハンドオーバ処理を開始することを決定すると、乱数「Ｒａｎｄ」を生成し、交換局ＭＭＥから通知された所定情報「ＮＨ」及び生成した乱数「Ｒａｎｄ」に基づいて、第２無線リンクで用いられる第２鍵「ＫｅＮＢ」を生成するための中間鍵「ＫｅＮＢ＊」を生成する。
【０１１７】
ステップＳ６００３乃至Ｓ６００９の動作は、図９に示すステップＳ５００３乃至Ｓ５００９の動作と同一である。
【０１１８】
ステップＳ６０１０において、無線基地局ｅＮＢ＃１は、乱数「Ｒａｎｄ」を生成し、第１無線リンクで用いられている第１鍵「ＫｅＮＢ」及び生成した乱数「Ｒａｎｄ」に基づいて、第２無線リンクで用いられる第２鍵「ＫｅＮＢ」を生成するための中間鍵「ＫｅＮＢ＊」を生成する。
【０１１９】
ここで、無線基地局ｅＮＢ＃１は、生成した中間鍵「ＫｅＮＢ＊」を、そのまま第２無線リンクで用いられる第２鍵「ＫｅＮＢ」とする。
【０１２０】
ステップＳ６０１１において、無線基地局ｅＮＢ＃１は、移動局ＵＥに対して、所定カウンタ「ＮＣＣ」と乱数「Ｒａｎｄ」とを含む「Ｒｅｅｓｔａｂｌｉｓｈｍｅｎｔ」を送信する。
【０１２１】
ステップＳ６０１２において、移動局ＵＥは、受信した「Ｒｅｅｓｔａｂｌｉｓｈｍｅｎｔ」に含まれる所定カウンタ「ＮＣＣ」に対応する所定情報「ＮＨ」を、「ＮＨ＝ＫＤＦ（ＫＡＳＭＥ，ＮＨ）」の計算を行うことによって算出する。
【０１２２】
そして、移動局ＵＥは、算出した所定情報「ＮＨ」に対する乱数「Ｒａｎｄ」を用いた「ｂｉｎｄｉｎｇ処理」を行うことによって、具体的には、「ＫｅＮＢ＊＝ＫＤＦ（ＮＨ，Ｒａｎｄ）」の計算を行うことによって、第２無線リンクで用いられる第２鍵「ＫｅＮＢ」を生成するための中間鍵「ＫｅＮＢ＊」を生成する。
【０１２３】
ここで、移動局ＵＥは、生成した中間鍵「ＫｅＮＢ＊」を、そのまま第２無線リンクで用いられる第２鍵「ＫｅＮＢ」とする。
【０１２４】
ステップＳ６０１３乃至Ｓ６０１５の動作は、図９に示すステップＳ５０１３乃至Ｓ５０１５の動作と同一である。
【０１２５】
なお、セル＃１からセル＃４への移動局ＵＥのＸ２ハンドオーバ処理において、セル＃４を管理する無線基地局ｅＮＢ＃２が、セル＃４を管理する無線基地局ｅＮＢ＃２の代わりに、乱数「Ｒａｎｄ」を生成し、上述の中間鍵「ＫｅＮＢ＊」を生成するように構成されていてもよい。
【０１２６】
また、本発明は、第１セル（例えば、セル＃１）から第２セル（例えば、セル＃４）への移動局ＵＥのＩｎｔｒａ-ｅＮＢハンドオーバ処理にも適用可能である。かかるＩｎｔｒａ-ｅＮＢハンドオーバ処理では、第１セル及び第２セルが同一の無線基地局ｅＮＢ（例えば、無線基地局ｅＮＢ＃１）によって管理されているため、第１セルを管理する無線基地局ｅＮＢと第２セルを管理する無線基地局ｅＮＢとの間の信号のやり取りや、第１セルを管理する無線基地局ｅＮＢ又は第２セルを管理する無線基地局ｅＮＢと交換局ＭＭＥとの間の信号のやり取りが省略されてもよい。
【０１２７】
（本発明の第１の実施形態に係る移動通信システムの作用・効果）
本発明の第１の実施形態に係る移動通信システムによれば、「ＣＡ」が適用されている場合であっても、再接続処理において、安全に、ＫｅＮＢ＊を生成することができる。
【０１２８】
以上に述べた本実施形態の特徴は、以下のように表現されていてもよい。
【０１２９】
本実施形態の第１の特徴は、移動局ＵＥと無線基地局ｅＮＢ＃１配下のセル＃１との間で確立されている第１無線リンクにおける障害（ＲＬＦ）が検出された場合に、再接続処理によって、移動局ＵＥとセル＃１との間で第２無線リンクを確立する移動通信方法であって、再接続処理において、無線基地局ｅＮＢ＃１が、生成した乱数「Ｒａｎｄ」と、第１無線リンクで用いられていた第１鍵「ＫｅＮＢ」とに基づいて、第２無線リンクで用いられる第２鍵「ＫｅＮＢ」を生成するための中間鍵「ＫｅＮＢ＊」を生成する工程を有することを要旨とする。
【０１３０】
本実施形態の第１の特徴において、再接続処理において、無線基地局ｅＮＢ＃１が、移動局ＵＥに対して、乱数「Ｒａｎｄ」を送信する工程と、再接続処理において、移動局ＵＥが、受信した乱数「Ｒａｎｄ」と、第１無線リンクで用いられていた第１鍵「ＫｅＮＢ」とに基づいて、第２無線リンクで用いられる第２鍵「ＫｅＮＢ」を生成するための中間鍵「ＫｅＮＢ＊」を生成する工程を有してもよい。
【０１３１】
本実施形態の第２の特徴は、移動局ＵＥと無線基地局ｅＮＢ＃１配下のセル＃１との間で確立されている第１無線リンクにおける障害（ＲＬＦ）が検出された場合に、再接続処理によって、移動局ＵＥとセル＃１との間で第２無線リンクを確立する移動通信方法であって、再接続処理において、無線基地局ｅＮＢ＃１が、生成した乱数「Ｒａｎｄ」と、交換局ＭＭＥから通知された所定情報「ＮＨ」とに基づいて、第２無線リンクで用いられる「ＫｅＮＢ」を生成するための中間鍵「ＫｅＮＢ＊」を生成する工程を有することを要旨とする。
【０１３２】
本実施形態の第２の特徴において、再接続処理において、無線基地局ｅＮＢ＃１が、移動局ＵＥに対して、乱数「Ｒａｎｄ」及び所定情報「ＮＨ」に対応する所定カウンタ「ＮＣＣ」を送信する工程と、再接続処理において、移動局ＵＥが、受信した所定カウンタ「ＮＣＣ」に対応する所定情報「ＮＨ」を算出し、受信した乱数「Ｒａｎｄ」及び算出された所定情報「ＮＨ」に基づいて、第２無線リンクで用いられる第２鍵「ＫｅＮＢ」を生成するための中間鍵「ＫｅＮＢ＊」を生成する工程を有してもよい。
【０１３３】
本実施形態の第３の特徴は、無線基地局ｅＮＢ＃１（第１無線基地局）配下のセル＃１（第１セル）から無線基地局ｅＮＢ＃２（第２無線基地局）配下のセル＃４（第２セル）への移動局ＵＥのハンドオーバ処理中に、移動局ＵＥとセル＃１との間で確立されていた第１無線リンクにおける障害（ＲＬＦ）が検出された場合に、再接続処理によって、移動局ＵＥとセル＃４との間で第２無線リンクを確立する移動通信方法であって、ハンドオーバ処理において、無線基地局ｅＮＢ＃１が、生成した乱数「Ｒａｎｄ」と、第１無線リンクで用いられていた第１鍵「ＫｅＮＢ」とに基づいて、第２無線リンクで用いられる第２鍵「ＫｅＮＢ」を生成するための中間鍵「ＫｅＮＢ＊」を生成する工程を有することを要旨とする。
【０１３４】
本実施形態の第３の特徴において、ハンドオーバ処理において、無線基地局ｅＮＢ＃１が、無線基地局ｅＮＢ＃２に対して、乱数「Ｒａｎｄ」を送信する工程と、再接続処理において、無線基地局ｅＮＢ＃２が、移動局ＵＥに対して、乱数「Ｒａｎｄ」を送信する工程と、再接続処理において、移動局ＵＥが、受信した乱数「Ｒａｎｄ」と、第１無線リンクで用いられていた第１鍵「ＫｅＮＢ」とに基づいて、第２無線リンクで用いられる第２鍵「ＫｅＮＢ」を生成するための中間鍵「ＫｅＮＢ＊」を生成する工程を有してもよい。
【０１３５】
本実施形態の第４の特徴は、無線基地局ｅＮＢ＃１配下のセル＃１から無線基地局ｅＮＢ＃２配下のセル＃４への移動局ＵＥのハンドオーバ処理中に、移動局ＵＥとセル＃１との間で確立されていた第１無線リンクにおける障害（ＲＬＦ）が検出された場合に、再接続処理によって、移動局ＵＥとセル＃４との間で第２無線リンクを確立する移動通信方法であって、ハンドオーバ処理において、無線基地局ｅＮＢ＃１が、生成した乱数「Ｒａｎｄ」と、交換局ＭＭＥから通知された所定情報「ＮＨ」とに基づいて、第２無線リンクで用いられる第２鍵「ＫｅＮＢ」を生成するための中間鍵「ＫｅＮＢ＊」を生成する工程を有することを要旨とする。
【０１３６】
本実施形態の第４の特徴において、ハンドオーバ処理において、無線基地局ｅＮＢ＃１が、無線基地局ｅＮＢ＃２に対して、乱数「Ｒａｎｄ」を送信する工程と、再接続処理において、無線基地局ｅＮＢ＃２が、移動局ＵＥに対して、乱数「Ｒａｎｄ」及び所定情報「ＮＨ」に対応する所定カウンタ「ＮＣＣ」を送信する工程と、再接続処理において、移動局ＵＥが、受信した所定カウンタ「ＮＣＣ」に対応する所定情報「ＮＨ」を算出し、受信した乱数「Ｒａｎｄ」及び算出された所定情報「ＮＨ」に基づいて、第２無線リンクで用いられる第２鍵「ＫｅＮＢ」を生成するための中間鍵「ＫｅＮＢ＊」を生成する工程を有してもよい。
【０１３７】
本実施形態の第５の特徴は、無線基地局ｅＮＢ＃１配下のセル＃１から無線基地局ｅＮＢ＃２配下のセル＃４への移動局ＵＥのハンドオーバ処理中に、移動局ＵＥとセル＃１との間で確立されていた第１無線リンクにおける障害（ＲＬＦ）が検出された場合に、再接続処理によって、移動局ＵＥとセル＃１との間で第２無線リンクを確立する移動通信方法であって、再接続処理において、無線基地局ｅＮＢ＃１が、生成した乱数「Ｒａｎｄ」と、第１無線リンクで用いられていた第１鍵「ＫｅＮＢ」とに基づいて、第２無線リンクで用いられる第２鍵「ＫｅＮＢ」を生成するための中間鍵「ＫｅＮＢ＊」を生成する工程を有することを要旨とする。
【０１３８】
本実施形態の第５の特徴において、再接続処理において、無線基地局ｅＮＢ＃１が、移動局ＵＥに対して、乱数「Ｒａｎｄ」を送信する工程と、再接続処理において、移動局ＵＥが、受信した乱数「Ｒａｎｄ」と、第１無線リンクで用いられていた第１鍵「ＫｅＮＢ」とに基づいて、第２無線リンクで用いられる第２鍵「ＫｅＮＢ」を生成するための中間鍵「ＫｅＮＢ＊」を生成する工程を有してもよい。
【０１３９】
本実施形態の第６の特徴は、無線基地局ｅＮＢ＃１配下のセル＃１から無線基地局ｅＮＢ＃２配下のセル＃４への移動局ＵＥのハンドオーバ処理中に、移動局ＵＥとセル＃１との間で確立されていた第１無線リンクにおける障害（ＲＬＦ）が検出された場合に、再接続処理によって、移動局ＵＥとセル＃１との間で第２無線リンクを確立する移動通信方法であって、再接続処理において、無線基地局ｅＮＢ＃１が、生成した乱数「Ｒａｎｄ」と、交換局ＭＭＥから通知された所定情報「ＮＨ」とに基づいて、第２無線リンクで用いられる第２鍵「ＫｅＮＢ」を生成するための中間鍵「ＫｅＮＢ＊」を生成する工程を有することを要旨とする。
【０１４０】
本実施形態の第６の特徴において、再接続処理において、無線基地局ｅＮＢ＃１が、移動局ＵＥに対して、乱数「Ｒａｎｄ」及び所定情報「ＮＨ」に対応する所定カウンタ「ＮＣＣ」を送信する工程と、再接続処理において、移動局ＵＥが、受信した所定カウンタ「ＮＣＣ」に対応する所定情報「ＮＨ」を算出し、受信した乱数「Ｒａｎｄ」及び算出された所定情報「ＮＨ」に基づいて、第２無線リンクで用いられる第２鍵「ＫｅＮＢ」を生成するための中間鍵「ＫｅＮＢ＊」を生成する工程を有してもよい。
【０１４１】
本実施形態の第７の特徴は、移動局ＵＥと無線基地局ｅＮＢ＃１配下のセル＃１との間で確立されている第１無線リンクにおける障害（ＲＬＦ）が検出された場合に、再接続処理によって、移動局ＵＥとセル＃１との間で第２無線リンクを確立することができる移動通信システムにおける無線基地局ｅＮＢ＃１であって、再接続処理において、乱数「Ｒａｎｄ」を生成するように構成されている乱数生成部１１と、再接続処理において、生成した乱数「Ｒａｎｄ」と、第１無線リンクで用いられていた第１鍵「ＫｅＮＢ」とに基づいて、第２無線リンクで用いられる第２鍵「ＫｅＮＢ」を生成するための中間鍵「ＫｅＮＢ＊」を生成するように構成されている鍵生成部１２とを具備することを要旨とする。
【０１４２】
本実施形態の第７の特徴において、再接続処理において、移動局ＵＥに対して、乱数「Ｒａｎｄ」を送信するように構成されている再接続処理部１３を更に具備してもよい。
【０１４３】
本実施形態の第８の特徴は、移動局ＵＥと無線基地局ｅＮＢ＃１配下のセル＃１との間で確立されている第１無線リンクにおける障害（ＲＬＦ）が検出された場合に、再接続処理によって、移動局ＵＥとセル＃１との間で第２無線リンクを確立することができる移動通信システムにおける移動局ＵＥであって、再接続処理において、無線基地局ｅＮＢ＃１から受信した乱数「Ｒａｎｄ」と、第１無線リンクで用いられていた第１鍵「ＫｅＮＢ」とに基づいて、第２無線リンクで用いられる第２鍵「ＫｅＮＢ」を生成するための中間鍵「ＫｅＮＢ＊」を生成するように構成されている鍵生成部２２を具備することを要旨とする。
【０１４４】
本実施形態の第９の特徴は、移動局ＵＥと無線基地局ｅＮＢ＃１配下のセル＃１との間で確立されている第１無線リンクにおける障害（ＲＬＦ）が検出された場合に、再接続処理によって、移動局ＵＥとセル＃１との間で第２無線リンクを確立することができる移動通信システムにおける無線基地局ｅＮＢ＃１であって、再接続処理において、乱数「Ｒａｎｄ」を生成するように構成されている乱数生成部１１と、再接続処理において、生成した乱数「Ｒａｎｄ」と、交換局ＭＭＥから通知された所定情報「ＮＨ」とに基づいて、第２無線リンクで用いられる第２鍵「ＫｅＮＢ」を生成するための中間鍵「ＫｅＮＢ＊」を生成するように構成されている鍵生成部１２とを具備することを要旨とする。
【０１４５】
本実施形態の第９の特徴において、再接続処理において、移動局ＵＥに対して、乱数「Ｒａｎｄ」及び所定情報「ＮＨ」に対応する所定カウンタ「ＮＣＣ」を送信するように構成されている再接続処理部１３を更に具備してもよい。
【０１４６】
本実施形態の第１０の特徴は、移動局ＵＥと無線基地局ｅＮＢ＃１配下のセル＃１との間で確立されている第１無線リンクにおける障害（ＲＬＦ）が検出された場合に、再接続処理によって、移動局ＵＥとセル＃１との間で第２無線リンクを確立することができる移動通信システムにおける移動局ＵＥであって、再接続処理において、無線基地局ｅＮＢ＃１から受信した所定カウンタ「ＮＣＣ」に対応する所定情報「ＮＨ」を算出し、無線基地局ｅＮＢ＃１から受信した乱数「Ｒａｎｄ」及び算出された所定情報「ＮＨ」に基づいて、第２無線リンクで用いられる第２鍵「ＫｅＮＢ」を生成するための中間鍵「ＫｅＮＢ＊」を生成するように構成されている鍵生成部２２を具備することを要旨とする。
【０１４７】
本実施形態の第１１の特徴は、無線基地局ｅＮＢ＃１配下のセル＃１から無線基地局ｅＮＢ＃２配下のセル＃４への移動局ＵＥのハンドオーバ処理中に、移動局ＵＥとセル＃１との間で確立されていた第１無線リンクにおける障害（ＲＬＦ）が検出された場合に、再接続処理によって、移動局ＵＥとセル＃４との間で第２無線リンクを確立することができる移動通信システムにおける無線基地局ｅＮＢ＃１であって、ハンドオーバ処理において、乱数「Ｒａｎｄ」を生成するように構成されている乱数生成部１１と、ハンドオーバ処理において、生成した乱数「Ｒａｎｄ」と、第１無線リンクで用いられていた第１鍵「ＫｅＮＢ」とに基づいて、第２無線リンクで用いられる第２鍵「ＫｅＮＢ」を生成するための中間鍵「ＫｅＮＢ＊」を生成するように構成されている鍵生成部１２を具備することを要旨とする。
【０１４８】
本実施形態の第１２の特徴は、無線基地局ｅＮＢ＃１配下のセル＃１から無線基地局ｅＮＢ＃２配下のセル＃４への移動局ＵＥのハンドオーバ処理中に、移動局ＵＥとセル＃１との間で確立されていた第１無線リンクにおける障害（ＲＬＦ）が検出された場合に、再接続処理によって、移動局ＵＥとセル＃４との間で第２無線リンクを確立することができる移動通信システムにおける移動局ＵＥであって、再接続処理において、無線基地局ｅＮＢ＃１から受信した乱数「Ｒａｎｄ」と、第１無線リンクで用いられていた第１鍵「ＫｅＮＢ」とに基づいて、第２無線リンクで用いられる第２鍵「ＫｅＮＢ」を生成するための中間鍵「ＫｅＮＢ＊」を生成するように構成されている鍵生成部２２を具備することを要旨とする。
【０１４９】
本実施形態の第１３の特徴は、無線基地局ｅＮＢ＃１配下のセル＃１から無線基地局ｅＮＢ＃２配下のセル＃４への移動局ＵＥのハンドオーバ処理中に、移動局ＵＥとセル＃１との間で確立されていた第１無線リンクにおける障害（ＲＬＦ）が検出された場合に、再接続処理によって、移動局ＵＥとセル＃４との間で第２無線リンクを確立することができる移動通信システムにおける無線基地局ｅＮＢ＃１であって、ハンドオーバ処理において、乱数「Ｒａｎｄ」を生成するように構成されている乱数生成部１１と、ハンドオーバ処理において、生成した乱数「Ｒａｎｄ」と、交換局ＭＭＥから通知された所定情報「ＮＨ」とに基づいて、第２無線リンクで用いられる第２鍵「ＫｅＮＢ」を生成するための中間鍵「ＫｅＮＢ＊」を生成するように構成されている鍵生成部１２とを具備することを要旨とする。
【０１５０】
本実施形態の第１４の特徴は、無線基地局ｅＮＢ＃１配下のセル＃１から無線基地局ｅＮＢ＃２配下のセル＃４への移動局ＵＥのハンドオーバ処理中に、移動局ＵＥとセル＃１との間で確立されていた第１無線リンクにおける障害（ＲＬＦ）が検出された場合に、再接続処理によって、移動局ＵＥとセル＃４との間で第２無線リンクを確立することができる移動通信システムにおける移動局ＵＥであって、再接続処理において、無線基地局ｅＮＢ＃１から受信した所定カウンタ「ＮＣＣ」に対応する所定情報「ＮＨ」を算出し、無線基地局ｅＮＢ＃１から受信した乱数「Ｒａｎｄ」及び算出された所定情報「ＮＨ」に基づいて、第２無線リンクで用いられる第２鍵「ＫｅＮＢ」を生成するための中間鍵「ＫｅＮＢ＊」を生成するように構成されている鍵生成部２２を具備することを要旨とする。
【０１５１】
本実施形態の第１５の特徴は、無線基地局ｅＮＢ＃１配下のセル＃１から無線基地局ｅＮＢ＃２配下のセル＃４への移動局ＵＥのハンドオーバ処理中に、移動局ＵＥとセル＃１との間で確立されていた第１無線リンクにおける障害（ＲＬＦ）が検出された場合に、再接続処理によって、移動局ＵＥとセル＃１との間で第２無線リンクを確立することができる移動通信システムにおける無線基地局ｅＮＢ＃１であって、再接続処理において、乱数「Ｒａｎｄ」を生成するように構成されている乱数生成部１１と、再接続処理において、生成した乱数「Ｒａｎｄ」と、第１無線リンクで用いられていた第１鍵「ＫｅＮＢ」とに基づいて、第２無線リンクで用いられる第２鍵「ＫｅＮＢ」を生成するための中間鍵「ＫｅＮＢ＊」を生成するように構成されている鍵生成部２２を具備することを要旨とする。
【０１５２】
本実施形態の第１６の特徴は、無線基地局ｅＮＢ＃１配下のセル＃１から無線基地局ｅＮＢ＃２配下のセル＃４への移動局ＵＥのハンドオーバ処理中に、移動局ＵＥとセル＃１との間で確立されていた第１無線リンクにおける障害（ＲＬＦ）が検出された場合に、再接続処理によって、移動局ＵＥとセル＃１との間で第２無線リンクを確立することができる移動通信システムにおける移動局ＵＥであって、再接続処理において、無線基地局ｅＮＢ＃１から受信した乱数「Ｒａｎｄ」と、第１無線リンクで用いられていた第１鍵「ＫｅＮＢ」とに基づいて、第２無線リンクで用いられる第２鍵「ＫｅＮＢ」を生成するための中間鍵「ＫｅＮＢ＊」を生成するように構成されている鍵生成部２２を具備することを要旨とする。
【０１５３】
本実施形態の第１７の特徴は、無線基地局ｅＮＢ＃１配下のセル＃１から無線基地局ｅＮＢ＃２配下のセル＃２への移動局ＵＥのハンドオーバ処理中に、移動局ＵＥとセル＃１との間で確立されていた第１無線リンクにおける障害（ＲＬＦ）が検出された場合に、再接続処理によって、移動局ＵＥとセル＃１との間で第２無線リンクを確立することができる移動通信システムにおける無線基地局ｅＮＢ＃１であって、再接続処理において、乱数「Ｒａｎｄ」を生成するように構成されている乱数生成部１１と、再接続処理において、生成した乱数「Ｒａｎｄ」と、交換局ＭＭＥから通知された所定情報「ＮＨ」とに基づいて、第２無線リンクで用いられる第２鍵「ＫｅＮＢ」を生成するための中間鍵「ＫｅＮＢ＊」を生成するように構成されている鍵生成部１２を具備することを要旨とする。
【０１５４】
本実施形態の第１８の特徴は、無線基地局ｅＮＢ＃１配下のセル＃１から無線基地局ｅＮＢ＃２配下のセル＃２への移動局ＵＥのハンドオーバ処理中に、移動局ＵＥとセル＃１との間で確立されていた第１無線リンクにおける障害（ＲＬＦ）が検出された場合に、再接続処理によって、移動局ＵＥとセル＃１との間で第２無線リンクを確立することができる移動通信システムにおける移動局ＵＥであって、再接続処理において、無線基地局ｅＮＢ＃１から受信した所定カウンタ「ＮＣＣ」に対応する所定情報「ＮＨ」を算出し、無線基地局ｅＮＢ＃１から受信した乱数「Ｒａｎｄ」及び算出された所定情報「ＮＨ」に基づいて、第２無線リンクで用いられる第２鍵「ＫｅＮＢ」を生成するための中間鍵「ＫｅＮＢ＊」を生成するように構成されている鍵生成部２２を具備することを要旨とする。
【０１５５】
なお、上述の無線基地局ｅＮＢや移動局ＵＥや交換局ＭＭＥの動作は、ハードウェアによって実施されてもよいし、プロセッサによって実行されるソフトウェアモジュールによって実施されてもよいし、両者の組み合わせによって実施されてもよい。
【０１５６】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【０１５７】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、無線基地局ｅＮＢや移動局ＵＥや交換局ＭＭＥ内に設けられていてもよい。また、かかる記憶媒体及びプロセッサは、ディスクリートコンポーネントとして無線基地局ｅＮＢや移動局ＵＥや交換局ＭＭＥ内に設けられていてもよい。
【０１５８】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【０１５９】
ｅＮＢ…無線基地局
ＵＥ…移動局
１１…乱数生成部
１２、２２…鍵生成部
１３、２１…再接続処理部
【図１】
2011041162.tif 000003
【図２】
2011041162.tif 000004
【図３】
2011041162.tif 000005
【図４】
2011041162.tif 000006
【図５】
2011041162.tif 000007
【図６】
2011041162.tif 000008
【図７】
2011041162.tif 000009
【図８】
2011041162.tif 000010
【図９】
2011041162.tif 000011
【図１０】
2011041162.tif 000012
【図１１】
2011041162.tif 000013